(57)【要約】      （修正有）【課題】オイルシールのゴムや金属に影響を与える密封液との接触を回避し、オイルシールを保護するためのリップ付カバーシールを提供する。【解決手段】オイルシール２０を収容して保護するリップ付カバーシール１０は、オイルシールの中心を中心軸Ａとして筒状に設けられ、かつオイルシールの外周面に当接する外周部１１、外周部よりオイルシール中心軸方向に延在し、オイルシールを密封液より保護する密封液側面１２、および密封液側面に設けられ、密封液側面からオイルシール中心軸に向かって傾斜して延在するリップ部１３を有し、これら外周部、密封液側面、およびリップ部によりオイルシールを収容する。【選択図】図１
0003199250.tif 000002
【実用新案登録請求の範囲】
【請求項１】
オイルシール（２０）の為のリップ付カバーシール（１０）であって、オイルシール中心軸（Ａ）を中心軸として筒状に設けられ、かつオイルシール（２０）の外周面に当接する外周部（１１）、当該外周部（１１）よりオイルシール中心軸方向（Ａ）に延在し、オイルシール（２０）を密封液より保護する密封液側面（１２）、および当該密封液側面（１２）に設けられ、密封液側面（１２）からオイルシール中心軸（Ａ）に向かって傾斜して延在するリップ部（１３）を有し、これら外周部（１１）、密封液側面（１２）、およびリップ部（１３）によりオイルシール（２０）を収容することを特徴とするリップ付カバーシール（１０）。
【請求項２】
樹脂からなることを特徴とする請求項１に記載のリップ付カバーシール（１０）。
【請求項３】
密封液側面（１２）が平坦に形成されていることを特徴とする請求項１または２に記載のリップ付カバーシール（１０）。
【請求項４】
外周部（１１）が返し部（１４）を有することを特徴とする請求項１から３のいずれか一項に記載のリップ付カバーシール（１０）。
【請求項５】
リップ部（１３）にばね溝（１５）が設けられ、当該ばね溝（１５）内にばね（１６）が設けられることにより、リップ部（１３）がオイルシール中心軸（Ａ）方向へ付勢されることを特徴とする請求項１から４のいずれか一項に記載のリップ付カバーシール（１０）。
【考案の詳細な説明】
【技術分野】
【０００１】
本考案は、オイルシールに用いるリップ付カバーシールに関する。
【背景技術】
【０００２】
一般的にオイルシールに使用されているゴム（例：二トリルゴムやフッ素ゴムなど）及び環やばねに使用される金属（例：鉄系材料やステンレス系材料）などの材料は密封液によって材料を使い分けている。しかし、密封液の種類が多岐にわたる場合、密封液の種類によってはオイルシールに使用しているゴムや金属が影響を受ける。この結果、シール性能を失い漏れに至ることがある。
【０００３】
これらの対策として一般的には耐薬品性が高い樹脂（例：フッ素樹脂やエンプラなど）をリップ材質としたシールが使用される（図６）。ここで、シール全体を樹脂製とした場合には、熱膨張・熱収縮により寸法が安定せず取付上不具合が発生することやシール性能の低下などが懸念される。他方、金属環と樹脂リップを組み立てている場合は使用している金属に影響を与える液には使用できないことなどが問題となることがある。
【０００４】
また、一部産業機械や食品機械においてはオイルシールが単独または複数使われていることがある。ベアリングやギアなどに使われる潤滑油などと機械の加工物や外部からの異物が混入することを避けるためである。しかしこれは、加工物や異物の噛み込みによるオイルシールのシール性能の低下や、洗浄などによるゴムや金属への影響などの不具合が発生することがある。オイルシールを複数で用いる場合、取付スペースが大きくなることや取付方向の選定で問題となることがある。
【０００５】
特に食品機械などでは洗浄によりオイルシールに付着した残留物を取り除ける構造にする必要がある。よって、一般的なオイルシールの取付方向と比較して、より残留物の発生しにくい取付方向にしていることがある（図７）。しかしこのような取付け方向は、一般的なオイルシールの取付方向とは逆向きであり、オイルシールの密封性能の低下や、一般的なオイルシールにおける溝となる部分に残留物などが付着し、これが十分に洗い流されないことが懸念される。
【考案の概要】
【考案が解決しようとする課題】
【０００６】
本考案の課題は、オイルシールのゴムや金属に影響を与える密封液との接触を回避し、オイルシールを保護するためのリップ付カバーシールの構造を提供することである。その際、当該リップ付カバーシールは、多様な密封液に対する耐性が高い素材を採用することにより、多様な環境で使用可能であることを目的とする。そして本考案は更に、当該リップ付カバーシールにより、加工物や異物かみ込みの発生を低減させること、および複数のオイルシールを取り付けるよりも取付けスペースの小さい構造を提供することを目的とする。
【課題を解決するための手段】
【０００７】
この課題は、請求項１に記載の特徴を有する、オイルシールの為のリップ付カバーシールにより解決される。本考案に従い、オイルシールの為のリップ付カバーシールは、オイルシール中心軸を中心軸として筒状に設けられ、かつオイルシールの外周面に当接する外周部、当該外周部よりオイルシール中心軸方向に延在し、オイルシールを密封液より保護する密封液側面、および当該密封液側面に設けられ、密封液側面からオイルシール中心軸に向かって傾斜して延在するリップ部を有する。そして、これら外周部、密封液側面、およびリップ部によりオイルシールが収容されている。これによって、オイルシールのゴムや金属に影響を与える密封液との接触を回避される。
【０００８】
有利には、リップ付カバーシールは樹脂からなる。樹脂の材料には充填材入りフッ素樹脂が推奨されるが、用途により様々な材料が使用可能である。オイルシールにリップ付樹脂カバーシールを取付け、リップ付樹脂カバーシールの材質として密封液に対する耐性の高い材料を選定することで、これまで一般的にオイルシールが使用できなかった環境でも使用可能とすることができる。
【０００９】
有利には、リップ付カバーシールの密封液側面は平坦に形成されている。これにより、食品機械などで懸念される残留物を防ぐことも可能となる。有利には、リップ付カバーシールのリップは軸と接触しており、組み合わされるオイルシールに加工物や異物の噛み込みの発生が低減される。
【００１０】
本考案の一つの態様に従い、リップ部にばね溝が設けられ、当該ばね溝内にばねが設けられる。これによってリップ部はオイルシール中心軸方向へ付勢される。本態様は、リップ付カバーシール側からの圧力下で特に有利である。このように、リップ付カバーシールの密封液側面に適切な構造を付与することにより、密封液が固体、液体、気体のいずれであっても使用可能となる。他方で、密封液側が低圧の場合や食品機械など残留物が少なくなる構造とする必要がある場合は、このようなばねを有さないリップが推奨される。
【００１１】
オイルシールとリップ付カバーシールの取付の向きは、変更可能である。これにより、片方向からのシールとしたり、両方向のシールとすることが可能である。
【００１２】
リップ付き樹脂カバーシール側からの圧力環境下ではリップ付き樹脂カバーシールがオイルシール側に押され変形することによりシール性能を失う可能性がある。そこで、オイルシールの金属環により変形を抑える構造とすると有利である。特に片方向の組み合わせの場合はＪＩＳ  Ｂ  ２４０２−１のタイプ３またはタイプ６のような組立形のオイルシールが推奨される。
【００１３】
本考案に係るリップ付カバーシールに取り付けられるオイルシールは、ゴム製のリップに限らず、樹脂リップシールやパッキンなども使用可能である。構造上の剛性を向上させるため金属環入りが望ましい。尚、リップ付き樹脂カバーシールに補強のための環のみを入れ、単独で用いることも可能である。
【図面の簡単な説明】
【００１４】
【図１】本考案に係るオイルシールの為のリップ付カバーシールの斜視図。
【図２】図１のリップ付カバーシールの使用状態の図。
【図３】リップ付カバーシールをオイルシールに取り付けた状態の断面図。両方向シールの場合の図。
【図４】リップ付カバーシールをオイルシールに取り付けた状態の断面図。片方向シールの場合の図。
【図５】リップ部のばね溝内にばねを有するリップ付カバーシールの図。
【図６】従来の樹脂リップシールの図。
【図７】一般的なオイルシールの取付方向及び食品機械などにおける取付け方向。
【考案を実施するための形態】
【００１５】
以下に本考案を添付の図面に表された実施例に基づき詳細に説明する。図１は、本考案に係るオイルシール２０の為のリップ付カバーシール１０の斜視図を示す。断面が視認できるよう一部がカットされた状態で表されている。
【００１６】
考案の理解の為まずオイルシール２０について説明する。当該オイルシール２０は、一般的に使用される公知のものである。本実施形においては、オイルシール２０は、ゴムまたは樹脂製のシール本体２１及び金属製の環２２よりなっている。シール本体２１内には、ばね２３が設けられ、シール本体２１のシールリップ２４をオイルシール２０の中心軸Ａ方向に付勢している。
【００１７】
本考案に係るリップ付カバーシール１０について説明する。リップ付カバーシール１０は、外周部１１、密封液側面１２、およびリップ部１３から成っている。外周部１１は、オイルシール２０の中心軸Ａを中心軸とする筒状に形成されている。外周部１１の内周面には、オイルシール２０の外周面（本実施形においては、環２２の外周面）が当接している。カバーシール１０の外周部１１の外周面は、ハウジング（図では表されていない）に設けられた孔部の内周面に当接する（図２参照）。外周部１１の図下方には返し１４が設けられ、オイルシール２０の脱落を防止している。
【００１８】
外周部１１上方から、オイルシール２０の中心軸Ａの方向に向かって密封液側面１２が延在している。当該密封液側面１２は、本実施形においては水平方向に平坦に形成されている。本実施形においては、密封液側面１２の内側面に、オイルシール２０の密封液側面が当接しているのが図より見て取れる。
【００１９】
密封液側面１２に続いて、リップ部１３が形成されている。リップ部１３は密封液側面１２から発し、オイルシール２０の中心軸Ａの方向に向かい、かつ図における上方に向かって傾斜して形成されている。リップ部１３の先端は、回転するシャフト等（図２参照）に接し、当該箇所におけるシール作用を発揮する。
【００２０】
カバーシール１０の外周部１１、密封液側面１２およびリップ部１３は、全体としてオイルシール２０を覆うように構成されている。これにより、オイルシール２０が密封液と接することを回避する。
【００２１】
当該カバーシール１０は、本実施形においては樹脂から形成されており、特に、樹脂の材料として充填材入りフッ素樹脂が好適である。しかし当然、他の樹脂も使用可能である。
【００２２】
本考案に係るカバーシール１０の製造は、切削加工により行う。他には射出成形なども考えられる。カバーシール１０に対するオイルシール２０の取付は焼き嵌めにより行う。焼き嵌めを行わないですむよう、カバーシール１０の外周部１１の返し１４を一部キリカケ構造としておくことも可能である。
【００２３】
図３は、本考案に係るカバーシール１０にオイルシール２０を取付けた状態の断面図を示す。オイルシール２０は外周がゴムのものでシールリップにはばねを有している。カバーシール１０のリップ部１３にはばねは設けられていいない。オイルシール２０とカバーシール１０は、逆方向に向けて取り付けられており、いわゆる両方向シールを形成する。
【００２４】
図４は、図３と同様、カバーシール１０にオイルシール２０を取付けた状態の断面図を示す。図３における実施形とは、オイルシール２０の取付方向が異なっている。図３におけるオイルシール２０およびカバーシール１０がいわゆる両方向シールを形成するのに対し、図４の実施形では、オイルシール２０およびカバーシール１０が同一方向に取り付けられ、いわゆる片方向シールを形成している。その他の点においては、本実施形において使用されるオイルシール２０及びカバーシール１０は図３におけるものと同じものである。
【００２５】
図５は、カバーシール１０のリップ部１３にばね溝１５を設け、当該ばね溝１５内にばね１６を設けた構成の実施形を示す。図５においてリップ部１３は、その先端近傍においてアールを描いて丸められており、これによってばね溝１５を形成している。そしてばね溝１５内にはばね１６が配置されている。ばね１６は、オイルシールの中心軸を中心軸とする円環ばねとして形成されている。図５におけるオイルシール２０は、図３または４におけるものと構成上の相違が無い。図３または４における実施形同様、オイルシール２０はカバーシール１０内に取り付けられている。カバーシール１０のリップ部１３に設けられたばね１６により、リップ部１３はオイルシール２０の中心軸Ａの方向に向かって付勢されるので、リップ部１３先端におけるシール作用はより強く作用することとなる。これにより、密封液側の圧力が高い場合などでも、十分シール作用が得られる。
【００２６】
図５における二つの実施形は、一方がオイルシール２０とカバーシール１０を逆方向に取り付けた態様、他方が同方向に取り付けた態様である。これらは図３および図４に記載した態様同様、両方向シール、片方向シールを形成している。
【図１】
0003199250.tif 000003
【図２】
0003199250.tif 000004
【図３】
0003199250.tif 000005
【図４】
0003199250.tif 000006
【図５】
0003199250.tif 000007
【図６】
0003199250.tif 000008
【図７】
0003199250.tif 000009